(57)【特許請求の範囲】
【請求項１】
医療従事者を呼び出すために操作される呼出ボタンを備えた第一のナースコール子機は、その筐体にアタッチメントを装着することで、前記第一のナースコール子機の呼出ボタンを患者が直接押下することなく操作可能としており、
前記第一のナースコール子機の筐体よりも小さい筐体を持ち、前記第一のナースコール子機と略同じ位置に呼出ボタンを備えた第二のナースコール子機を内部に収容するとともに、その外形を前記第一のナースコール子機の筐体と略同形状とし、前記第二のナースコール子機を内部に収容した状態で前記アタッチメントを装着することで、前記第二のナースコール子機の呼出ボタンを患者が直接押下することなく操作可能とすることを特徴とするナースコール子機用カバー。
【発明の詳細な説明】
【技術分野】
【０００１】
本発明は、患者が看護師などの医療従事者を呼び出すために用いるナースコール子機の筐体を覆うナースコール子機用カバーに関する。
【背景技術】
【０００２】
一般的に、ナースコールシステムは、筐体に呼出ボタンを取り付けたナースコール子機を各病室内の各病床の近傍に設置するとともに、看護師などの医療従事者が常駐するナースステーションにナースコール親機を設置している。そして、患者がナースコール子機の呼出ボタンを操作した場合に、ナースコール子機からナースコール親機へ呼出信号を出力し、呼出信号を入力したナースコール親機にて呼び出しを報知するように構成されている。
【０００３】
このようなナースコール子機は、患者によって素手で使用されるため、ナースコール子機の筐体に汚れや雑菌が付着することがある。また、病院などの施設では、入院している患者が入れ替わるため、一つのナースコール子機が複数の患者によって使いまわされていた。そのため、汚れや雑菌が付着したままのナースコール子機が次の患者に使いまわされることがあった。また、一つのナースコール子機が複数の患者によって使いまわされていると、患者によっては、ナースコール子機に直接触れることに抵抗を持つことがあった。このような問題を解決するために、ナースコール子機などの電子機器を軟質素材により形成されたカバーで覆う技術が知られている。このように、ナースコール子機などの電子機器の筐体をカバーで覆い、このカバーを洗浄したり、交換したりすることで、電子機器の筐体そのものに汚れや雑菌が付着することを防止することができるようにするとともに、電子機器の使いまわしを患者に抵抗を持たせずに実施することができる。
【０００４】
図３は、従来の第一のナースコール子機１０の構成例を示す図であり、同図において、筐体１１の図中上部には呼出ボタン１２が取り付けられており、筐体１１の図中下部には第一のナースコール子機１０と図示しないナースコール親機とを接続するためのコード１３が取り付けられている。このコード１３の先端部分は壁面などに接続される。この場合、患者は、掌および親指以外の指で筐体１１を握り、親指で呼出ボタン１２を押下することで、呼び出しを行う。
【０００５】
しかしながら、患者の中には、親指に力が入らず、筐体１１を握ることはできても親指で呼出ボタン１２を押下することができない患者が存在するため、そのような患者が第一のナースコール子機１０を操作することができなくなってしまうという問題があった。このような問題を解決するために、第一のナースコール子機にアタッチメントを装着する技術が知られている（例えば、特許文献１など）。
【０００６】
図４に示すように、アタッチメント２０の筐体２１の内部に第一のナースコール子機１０の筐体１１を収容し、筐体２１の図中下部に設けた開口部から第一のナースコール子機１０の筐体１１に設けたコード１３を取り出すようにしている。また、アタッチメント２０には、患者が筐体２１を握ることで内側方向に撓むように、第一の把持部２２および第二の把持部２３が形成されている。また、第一の把持部２２の内側には第一の突出片２４が形成されており、第二の把持部２３の内側には第二の突出片２５が形成されている。ここで、第一の突出片２４は第二の突出片２５に当接しており、第二の突出片２５は呼出ボタン１２に当接している。
【０００７】
このように構成されたアタッチメント２０の筐体２１の把持部２２、２３を患者が握ると、第一の突出片２４が第二の突出片２５を押し込み、第二の突出片２５が呼出ボタン１２を押し込む。これにより、患者が把持部２２、２３を握るだけで呼出ボタン１２が押下されるようになり、親指に力が入らない患者でも第一のナースコール子機１０を操作できるようになる。なお、特許文献１では、呼出ボタンを押し込む構成が上述した説明と異なっているが、アタッチメントを握ることで呼出ボタン１２を操作できるようにする点で両者は共通である。
【０００８】
また、患者の中には、手や足を動かすことができるものの、第一のナースコール子機１０の筐体１１やアタッチメント２０の筐体２１を握ったり、第一のナースコール子機１０の呼出ボタン１２を直接押下したりすることができない患者が存在していた。このような患者のために、ナースコール子機にアタッチメントを装着し、アタッチメントの操作部を手や足で叩くだけで、ナースコール子機の呼出ボタンを操作できるようにする技術も知られている（例えば、特許文献２など）。
【０００９】
ところで、ナースコール子機に限らず、電子機器では筐体の形状や大きさがモデルチェンジにより変わることがあった。例えば、図５に示す第二のナースコール子機３０は、筐体３１の図中上部に呼出ボタン３２が取り付けられており、筐体３１の図中下部にコード３３が取り付けられている点で第一のナースコール子機１０と同様の仕様である。また、第二のナースコール子機３０の筐体３１の長手方向の大きさが第一のナースコール子機１０の筐体１１と略同じである。しかしながら、第二のナースコール子機３０の筐体３１の太さは、第一のナースコール子機１０の筐体１１よりも一部が細く形成されている。そのため、第一のナースコール子機１０に装着可能なアタッチメント２０を第二のナースコール子機３０に装着することができないという問題が生じていた。
【先行技術文献】
【特許文献】
【００１０】
【特許文献１】特開２００７−１６７２０５号公報
【特許文献２】特開２００８−１１９２００号公報
【発明の概要】
【発明が解決しようとする課題】
【００１１】
すなわち、同様の機能を持つナースコール子機であっても、筐体の大きさが異なる場合には、アタッチメントを共用することができないという問題があった。本発明は、これらの問題を解決するために成されたものであり、第一のナースコール子機の筐体よりも小さい筐体を持つ第二のナースコール子機に対して、筐体が汚れたり雑菌が付着したりすることを防止しつつ、第一のナースコール子機に使用されているアタッチメントを第二のナースコール子機に利用できるようにすることを目的とする。
【課題を解決するための手段】
【００１２】
上述した課題を解決するために、本発明では、アタッチメントを装着可能であり、このアタッチメントにより呼出ボタンを操作可能とする第一のナースコール子機の筐体よりも小さい筐体を持ち、第一のナースコール子機と略同じ位置に呼出ボタンを備えた第二のナースコール子機を内部に収容するナースコール子機用カバーの外形を、第一のナースコール子機の筐体を略同形状とし、第二のナースコール子機を内部に収容した状態でアタッチメントを装着することで、第二のナースコール子機の呼出ボタンを操作可能としている。
【発明の効果】
【００１３】
上記のように構成した本発明によれば、第二のナースコール子機がカバーにより覆われるので、第二のナースコール子機の筐体に汚れや雑菌が付着することを防止することができ、かつ、カバーの外形が第一のナースコール子機と略同形状に形成されるので、第一のナースコール子機に使用されるアタッチメントを利用することができる。
【図面の簡単な説明】
【００１４】
【図１】本実施形態によるナースコール子機用カバーの外観例を示す図である。
【図２】本実施形態によるナースコール子機用カバーを第二のナースコール子機に装着した状態を示す図である。
【図３】従来の第一のナースコール子機の外観例を示す図である。
【図４】従来の第一のナースコール子機にアタッチメントを装着した状態を示す図である。
【図５】従来の第二のナースコール子機の外観例を示す図である。
【発明を実施するための形態】
【００１５】
以下、本発明の一実施形態を図面に基づいて説明する。図１は、本実施形態によるナースコール子機用カバー１の外観例を示すブロック図である。図１に示すナースコール子機用カバー１は、シリコンやエラストマー、ゴムなどの弾性素材により筒状に形成されている。また、ナースコール子機用カバー１の外形は、図３に示す第一のナースコール子機１０の筐体１１と略同形状に形成されている。また、ナースコール子機用カバー１の図中上部には第一の開口部２が形成されており、ここから図５に示す第二のナースコール子機３０の筐体３１を収容する。また、ナースコール子機用カバー１の図中下部には第二の開口部２が形成されており、ここから図５に示す第二のナースコール子機３０のコード３３を取り出す。
【００１６】
図２は、本実施形態によるナースコール子機用カバー１を第二のナースコール子機３０に装着した状態を示す図である。同図に示すように、第二のナースコール子機３０の筐体３１（図中破線）は、ナースコール子機用カバー１に収容されており、第二のナースコール子機３０の呼出ボタン３２がナースコール子機用カバー１の第一の開口部２から露出している。また、第二のナースコール子機３０のコード３３がナースコール子機用カバー１の第二の開口部３から突出している。
【００１７】
ここで、ナースコール子機用カバー１から露出している第二のナースコール子機３０の呼出ボタン３２が操作された場合の動作は、周知のナースコールシステムと同様であるため、説明を省略する。また、ナースコール子機用カバー１から突出している第二のナースコール子機３０のコード３３の先端部分は壁面に接続されており、これにより、第二のナースコール子機３０が図示しないナースコール親機に接続される。
【００１８】
このように、第二のナースコール子機３０にナースコール子機用カバー１を装着すると、その外観は、図３に示す第一のナースコール子機１０と略同じ外観となる。そのため、ナースコール子機用カバー１を装着した第二のナースコール子機３０は、図４に示すアタッチメント２０を装着することができるようになる。そのため、患者がアタッチメント２０の筐体２１の把持部２２、２３を握ると、第一の突出片２４が第二の突出片２５を押し込み、第二の突出片２５が第二のナースコール子機３０の呼出ボタン３２を押し込む。これにより、患者が把持部２２、２３を握るだけで第二のナースコール子機３０の呼出ボタン３２が押下されるようになり、呼び出しが行われる。また、ナースコール子機用カバー１を装着した第二のナースコール子機３０は、第一のナースコール子機１０に使用可能な全てのアタッチメントを使用することができるようになる。
【００１９】
以上詳しく説明したように、本実施形態によれば、アタッチメント２０を装着可能であり、このアタッチメント２０により呼出ボタン１２を操作可能とする第一のナースコール子機１０の筐体１１よりも小さい筐体３１を持ち、第一のナースコール子機１０と略同じ位置に呼出ボタン３２を備えた第二のナースコール子機３０を収容するナースコール子機用カバー１の外形を第一のナースコール子機１０の筐体１１と略同形状としている。
【００２０】
これにより、第二のナースコール子機３０の筐体３１がナースコール子機用カバー１により覆われるので、第二のナースコール子機３０の筐体３１が汚れたり雑菌が付着したりすることを防止することができる。また、ナースコール子機用カバー１の外形が第一のナースコール子機１０の筐体１１と略同形状に形成されるので、第一のナースコール子機１０に使用されるアタッチメント２０を利用することができる。
【００２１】
なお、前述した実施形態では、第一のナースコール子機１０の筐体１１の長手方向の大きさと、第二のナースコール子機３０の筐体３１の長手方向の大きさとが略等しくなっているが、これに限定されない。例えば、第一のナースコール子機１０の筐体１１の長手方向の大きさよりも、第二のナースコール子機３０の筐体３１の長手方向の大きさの方が小さくても良い。すなわち、例えば、第一のナースコール子機１０の筐体１１の長手方向の大きさよりも、第二のナースコール子機３０の筐体３１の長手方向の大きさの方が大きくなければ良い。
【００２２】
また、前述した実施形態では、ナースコール子機用カバー１が一体に形成されているが、これに限定されない。例えば、２つ以上のパーツによりナースコール子機用カバーが形成されるようにしても良い。
【００２３】
また、前述した実施形態では、第一のナースコール子機１０および第二のナースコール子機３０がともに有線式のものであり、コード１３、３３により壁面などに接続されているが、これに限定されない。例えば、第一のナースコール子機１０および第二のナースコール子機３０が無線式ナースコールであっても良い。この場合、第一のナースコール子機１０にはコード１３が存在せず、第二のナースコール子機３０にはコード３３が存在しないため、ナースコール子機用カバー１には第二の開口部３が不要になる。
【００２４】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００２５】
１    ナースコール子機用カバー
２    第一の開口部
３    第二の開口部
１０    第一のナースコール子機
２０    アタッチメント
３０    第二のナースコール子機
【図１】
0005700787.tif 000002
【図２】
0005700787.tif 000003
【図３】
0005700787.tif 000004
【図４】
0005700787.tif 000005
【図５】
0005700787.tif 000006